(57)【要約】【課題】  パネルの板厚違いに柔軟に、且つ容易に対応でき、使い勝手が良くなるよう形成した端面保護部材を提供することにある。【解決手段】  本発明の端面保護部材１は、パネル２の端面２ａを覆う帯状の本体部３と、この本体部３の長手方向に沿った両側の、上記パネル２の端面２ａの両側の角部４を覆う端縁部５とで形成する。また本発明品は、柔軟質に形成すると共に、上記の端縁部５を、パネル２の板面２ｂとの間に空間部Ｓを作るよう、本体部３の幅方向に沿って外側に凸湾曲状に突き出して形成する。【選択図】      図１
2013022348.tif 000002
【特許請求の範囲】
【請求項１】
パネルの端面を覆う帯状の本体部と、この本体部の長手方向に沿った両側の、上記パネルの端面の両側の角部を覆う端縁部とで形成されている端面保護部材であって、柔軟質に形成されていると共に、上記の端縁部が、パネルの板面との間に空間部を作るよう、本体部の幅方向に沿って外側に凸湾曲状に突き出されていることを特徴とする端面保護部材。
【請求項２】
請求項１記載の端面保護部材であって、端縁部が、本体部より軟質性の合成樹脂材で形成されていることを特徴とする端面保護部材。
【請求項３】
請求項１又は２記載の端面保護部材であって、一方の端縁部が、他方の端縁部より突き出され、一方の端縁部の空間部が他方の端縁部の空間部より幅広状に形成されていることを特徴とする端面保護部材。
【請求項４】
請求項１乃至３の何れかに記載の端面保護部材で端面が被覆されていることを特徴とするパネル部材。
【請求項５】
請求項４記載のパネル部材で側壁が形成されていることを特徴とするキャビネット。
【発明の詳細な説明】
【技術分野】
【０００１】
本発明は端面保護部材に関し、更に詳しくはパネルの端面（板厚面）に取り付けて使用する端面保護部材及びこれを用いたパネル部材並びにこのパネル部材を用いた流し台や洗面化粧台等のキャビネットに関するものである。
【背景技術】
【０００２】
従来、この種の保護部材としては、例えばパネルの端面から接着剤が食み出ることを防止できるよう、接着面に、平行一対状の凸条部を長さ方向に沿って形成しているものがある（例えば特許文献１参照）。
【０００３】
また従来、カウンター本体の角部に使用者が身体をぶつけて怪我をすることがないよう、保護部材をカウンター本体より軟質材料で形成したカウンターも知られている（例えば特許文献２参照）。
【０００４】
ところで、流し台や洗面化粧台等のキャビネットを構成するパネルは、製品の仕様によって板厚が異なることが多い。従って従来、この種のパネルの端面（板厚面）を保護する保護部材は、パネルの端面の幅に合せ、幅違いのものが多種類形成されているのが通例であった。
【０００５】
そのため、従来は、この種の保護部材を多種類揃えなければならない煩わしさがあり、収納や保管のコストがかかっただけではなく、流し台等の製造コストが増加する一因にもなっていた。
【先行技術文献】
【特許文献】
【０００６】
【特許文献１】特開２００８−２２９２０３号公報
【特許文献２】特開２００１−７８８４７号公報
【発明の概要】
【発明が解決しようとする課題】
【０００７】
本発明は、このような従来品の問題点に鑑み、提案されたものである。
従って本発明の解決しようとする技術的課題は、パネルの板厚違いに柔軟に、且つ容易に対応でき、使い勝手が良くなるよう形成した端面保護部材及び、この保護部材を備えたパネル部材並びにこのパネル部材で形成したキャビネットを提供することにある。
【課題を解決するための手段】
【０００８】
本発明は、上記の課題を解決するため、次のような技術的手段を採る。
即ち本発明は、図１等に示されるように、パネル２の端面２ａを覆う帯状の本体部３と、この本体部３の長手方向に沿った両側の、上記パネル２の端面２ａの両側の角部４を覆う端縁部５とで形成されている端面保護部材１であって、柔軟質に形成されていると共に、上記の端縁部５が、パネル２の板面２ｂとの間に空間部Ｓを作るよう、本体部３の幅方向に沿って外側に凸湾曲状に突き出されていることを特徴とする（請求項１）。
【０００９】
この場合、本発明は、端縁部５が、本体部３より軟質性の合成樹脂材で形成されているのが好ましい（請求項２）。
【００１０】
なぜならこれによると、パネル２の端面２ａの幅が多少相違しても、例えば端縁部５を引っ張って端面２ａの角部４を被覆し易いからである。また、パネル２の板厚が大きい場合は、端縁部５が撓ってパネル２の板面２ｂに確実にフィットさせることができるからである。更に、これによると、本体部３は端縁部５より硬質であるから、端面２ａを被覆するとき、捩れて変形することを防止でき、被覆作業を容易化できるからである。
なお、この本発明品は、具体的には二色成形法で本体部３と端縁部５とを一体成形したり、或いは本体部３と端縁部５とを別個に成形し、接着等の手段で連結することにより実現される。
【００１１】
また本発明は、一方の端縁部５が、他方の端縁部５より突き出され、一方の端縁部５の空間部Ｓが他方の端縁部５の空間部Ｓより幅広状に形成されているのが好ましい（請求項３）。
【００１２】
なぜならこの場合は、一方の端縁部５を利用して厚みの異なる種々のパネル２への対応が容易になるからである。またこれによると、他方の端縁部５が、キャビネット９（図６参照）の引き出し９ａなどに接触して引き出し９ａの開け閉めに支障を及ぼすことを防止できるからである。なお、空間部Ｓの幅は、適宜選定されるので良い。
【００１３】
また本発明のパネル部材８としては、例えば図３に示されるように、請求項１乃至３の何れかに記載の端面保護部材１で端面２ａが被覆されていることを特徴とするものがある（請求項４）。
【００１４】
また本発明のキャビネット９としては、例えば図６に示されるように、請求項４記載のパネル部材８で側壁が形成されていることを特徴とするものがある（請求項５）。
【発明の効果】
【００１５】
本発明の保護部材は、このように柔軟質に形成されていると共に、端縁部が、パネルの板面との間に空間部を作るよう、本体部の幅方向に沿って外側に凸湾曲状に突き出されている。
【００１６】
従って本発明は、パネルの端面の幅（板厚）が多少相違しても、端面に取り付けることができるから、これによれば、板厚の異なるパネルごと、保護部材を揃える煩雑さを解消でき、保管コスト等を抑えることができる。
また本発明の保護部材は、端縁部が外側に凸湾曲状に突き出されている。
従って本発明品によると、パネルの端面に被せたとき、端縁部がパネルの厚みによって外側に無理な形で押し拡げられて膨れる現象を抑えることができる。
また本発明のパネル部材、及びキャビネットによれば、保護部材のコストを抑えることができる分、安価に製造できる。また端面が保護されているから、これによれば、端面が傷つくことを防止でき、ぶつかっても怪我をする心配がない。
【図面の簡単な説明】
【００１７】
【図１】本発明の保護部材の好適な一実施形態を示すものであり、図３のＩ−Ｉ線における要部縦断面図である。
【図２】同上保護部材の巻回状態を示す側面図である。
【図３】同上保護部材で端面が被覆されたパネル部材の斜視図である。
【図４】同上保護部材の取り付け例を説明するための要部縦断面図である。
【図５】同上保護部材の取り付け例を説明するための要部縦断面図である。
【図６】同上保護部材で端面が被覆されたパネル部材で側壁が形成された本発明キャビネットの要部斜視図である。
【発明を実施するための形態】
【００１８】
以下、本発明を実施するための好適な一実施形態を、添付図面に従って説明する。
本発明の端面保護部材１は、図１等に示されるように、パネル２の端面２ａを覆う帯状の本体部３と、この本体部３の長手方向に沿った両側の、上記パネル２の端面２ａの両側の角部４を覆う端縁部５とで形成されている。
【００１９】
本発明品は、軟質性の合成樹脂材により、柔軟質に形成されている。従って、本発明品は、収納時や保管時は、図２に示されるように、巻回状に形作られる。
また本発明品は、上記の端縁部５が、パネル２の板面２ｂとの間に空間部Ｓを作るよう、本体部３の幅方向に沿って外側に凸湾曲状に突き出されている。
【００２０】
而して、この実施形態の本発明品は、端縁部５が、本体部３より軟質性の合成樹脂材で形成されている。本体部３と端縁部５とは、具体的には二色成形法で一体成形されている。
【００２１】
またこの実施形態の本発明品は、図１に示される通り、一方の端縁部５（図面上、左側）が、他方の端縁部５（図面上、右側）より突き出され、一方の端縁部５の空間部Ｓが他方の端縁部５の空間部Ｓより幅広状に形成されている。一方の端縁部５の突き出し代Ｗ1と他方の端縁部５の突き出し代Ｗ2とは、端縁部５の形成材料である合成樹脂材の特性等に鑑み、適宜選定されるので良い。
【００２２】
而して、本発明品は、図３に示されるように、パネル２が方形の場合は、端面２ａの全周に、又は底面を除いた端面２ａの全体に連続状に取り付けられる。
【００２３】
この場合、この実施形態では、パネル２の板厚は、本体部３の幅を超え、空間部Ｓ内に至る長さに選定されている。そして本発明品が、パネル２の端面２ａに被せられると、この実施形態では端縁部５の下端５ａがパネル２の板面２ｂの両側を挟み付け、端縁部５の復元力で取り付けが可能になるよう形成されている。
【００２４】
なお、本発明品は、図４に示されるように、両面テープ６が使用され、端縁部５の挟着力と両面テープ６の接着力とで貼り付けられるのでも良い。
また本発明品は、図５に示されるように、両面テープ６と接着剤７とが併用されるのでも良い。図５に示される場合は、両面テープ６が本体部３の下面において、他方の端縁部５の側に配置されている。
【００２５】
従ってこの実施形態の場合は、両面テープ６で本発明品を端面２ａに仮止めしてから接着剤７で貼り付けでき、作業がし易くなる。またこれによると、本体部３の下面の全体に両面テープ６が設けられる場合に比べ、初期作業において遣り直しが容易になり、熟練度の低い作業者であっても作業を楽にできる。
【００２６】
而して、本発明のキャビネット９としては、図６に示されるように、側壁を本発明のパネル部材８で形成したものがある。
この実施形態に係る本発明のキャビネット９は、図１に示されるように、本発明の保護部材１の一方の端縁部５が外側に、他方の端縁部５がキャビネット９側に配置されている。
【００２７】
従ってこれによると、キャビネット９側への端縁部５の出っ張り幅が小さいため、例えば引き出し９ａを開け閉めするとき、本発明の保護部材１に引き出し９ａが触れ、引き出し操作に支障を及ぼすことを防止できる。
【００２８】
以上の処において、本発明の保護部材１は、本体部３と端縁部５の全体が同一の軟質性合成樹脂材で一体成形されているのでも良い。
また本発明のキャビネット９としては、流し台のほか洗面化粧台等がある。
【符号の説明】
【００２９】
１      端面保護部材
２      パネル
２ａ    端面
２ｂ    板面
３      本体部
４      角部
５      端縁部
Ｓ      空間部
【図１】
2013022348.tif 000003
【図２】
2013022348.tif 000004
【図３】
2013022348.tif 000005
【図４】
2013022348.tif 000006
【図５】
2013022348.tif 000007
【図６】
2013022348.tif 000008